(57)【要約】  コンドームホルダーおよびコンドームホルダーを用いてコンドームを装着する方法が示唆される。示唆されたコンドームホルダー（１）は、平坦に整えられたコンドームを配置し得る空間を少なくとも部分的に規定するコンドームホルダーからコンドームを外す手段、固定部（７）および固定部を結ぶ連結部を備えている。固定部（７）のそれぞれはフックを備えており、巻いた状態のコンドーム（１３）の端部（１２）を収納するために適合されている。ホルダーは少なくとも１つの固定部が回転できるように形成されている。少なくとも１つの固定部は固定部のフックが屈曲している方向と反対方向に回転するように構成されている。ホルダーは、固定部のフックが屈曲している方向に固定部が回転することを防止するストッパーを備えている。本発明の方法およびデバイスによって、使用者はコンドームを装着することができ、次いで、ホルダーを迅速かつ快適に除去することができ、使用者の性交への関心は微かに逸れるだけである。
2010525865.tif 000002
【特許請求の範囲】
【請求項１】
コンドームホルダーであって、
平坦に整えられたコンドームを配置し得る空間を少なくとも部分的に規定する該コンドームホルダーからコンドームを外すための手段と、巻いた状態のコンドームの端部を収容するために適合されたフックを具備している少なくとも１つの固定部と、該固定部を結ぶ連結部とを備えており、
該少なくとも１つの固定部は回転するように適合されているコンドームホルダーにおいて、
該少なくとも１つの固定部は、該固定部の該フックが屈曲している方向と反対方向へ回転することができるように構成されていることを特徴とするコンドームホルダー。
【請求項２】
上記フックが屈曲している方向に該固定部が回転することを防止するストッパーを備えていることを特徴とする請求項１に記載のコンドームホルダー。
【請求項３】
上記少なくとも１つの固定部が上記連結部に対して回転するように適合されていることを特徴とする請求項１に記載のコンドームホルダー。
【請求項４】
上記少なくとも１つの固定部が上記連結部と一緒に回転するように適合されていることを特徴とする請求項１に記載のコンドームホルダー。
【請求項５】
上記ストッパーは、上記コンドームの平面よりも上に、上記固定部が回転することを防止するものであることを特徴とする請求項１に記載のコンドームホルダー。
【請求項６】
上記固定部の回転は蝶番式の連結部によってもたらされることを特徴とする請求項１に記載のコンドームホルダー。
【請求項７】
上記回転は可撓性コネクタによってもたらされることを特徴とする請求項１に記載のコンドームホルダー。
【請求項８】
少なくとも２つの上記固定部が同時に回転するように適合されていることを特徴とする請求項１に記載のコンドームホルダー。
【請求項９】
上記連結部は少なくとも１つの弧形バンドを備えていることを特徴とする請求項１に記載のコンドームホルダー。
【請求項１０】
上記弧形バンドの外側にハンドルが備えられていることを特徴とする請求項９に記載のコンドームホルダー。
【請求項１１】
上記連結部の形状は、上記空間が縮小される第一の構成と上記空間が拡張される第二の構成との間で変化するように適合されていることを特徴とする請求項１に記載のコンドームホルダー。
【請求項１２】
上記連結部が弾性であることを特徴とする請求項１１に記載のコンドームホルダー。
【請求項１３】
上記第二の構成にて上記ホルダーを保持するためのホルダー保持デバイスを備えていることを特徴とする請求項１１に記載のコンドームホルダー。
【請求項１４】
上記ホルダーを上記第一の構成に戻す傾向がある弾性部材を備えていることを特徴とする請求項１３に記載のコンドームホルダー。
【請求項１５】
少なくとも３つの上記固定部を備えており、
該少なくとも３つの固定部は、該少なくとも３つの固定部を通して少なくとも１８０°の弧を描くことができるように設けられていることを特徴とする請求項１に記載のコンドームホルダー。
【請求項１６】
上記固定部が輪なわ状であることを特徴とする請求項１に記載のコンドームホルダー。
【請求項１７】
上記固定部が、上記巻いた状態のコンドームの端部の外側を留めるように適合されていることを特徴とする請求項１６に記載のコンドームホルダー。
【請求項１８】
上記連結部に対して同時に回転するように適合されている２つの固定部を備えていることを特徴とする請求項１７に記載のコンドームホルダー。
【請求項１９】
上記固定部が、上記巻いた状態のコンドームのリングの内側を留めるように適合されていることを特徴とする請求項１に記載のコンドームホルダー。
【請求項２０】
コンドームホルダーであって、
平坦に整えられたコンドームを配置し得る空間を少なくとも部分的に規定する該コンドームホルダーからコンドームを外すための手段と、巻いた状態のコンドームの端部を収容するために適合されたフックを具備している少なくとも１つの固定部と、該固定部を結ぶ連結部とを備えており、
該少なくとも１つの固定部は回転するように適合されているコンドームホルダーにおいて、
手の指によって操作されるように適合された少なくとも１つの回転手段を備えており、
該回転手段は、回転可能に該少なくとも１つの固定部に連結されており、
該少なくとも１つの固定部は、該フックが屈曲している方向と反対方向へ回転することができるように構成されていることを特徴とするコンドームホルダー。
【請求項２１】
上記少なくとも１つの固定部が上記連結部に対して回転するように適合されていることを特徴とする請求項２０に記載のコンドームホルダー。
【請求項２２】
上記少なくとも１つの固定部が上記連結部と一緒に回転するように適合されていることを特徴とする請求項２０に記載のコンドームホルダー。
【請求項２３】
上記固定部の上記フックが屈曲している方向へ該固定部が回転することを防止するストッパーを備えていることを特徴とする請求項２０に記載のコンドームホルダー。
【請求項２４】
上記ストッパーは、上記コンドームの平面よりも上に、上記固定部が回転することを防止するものであることを特徴とする請求項２３に記載のコンドームホルダー。
【請求項２５】
上記固定部の回転は蝶番式の連結部によってもたらされることを特徴とする請求項２０に記載のコンドームホルダー。
【請求項２６】
上記回転は可撓性コネクタによってもたらされることを特徴とする請求項２０に記載のコンドームホルダー。
【請求項２７】
少なくとも２つの上記固定部が同時に回転するように適合されていることを特徴とする請求項２０に記載のコンドームホルダー。
【請求項２８】
上記連結部は少なくとも１つの弧形バンドを備えていることを特徴とする請求項２０に記載のコンドームホルダー。
【請求項２９】
上記弧形バンドの外側に配置されたハンドルを備えていることを特徴とする請求項２８に記載のコンドームホルダー。
【請求項３０】
上記回転手段がレバーを備えていることを特徴とする請求項２０に記載のコンドームホルダー。
【請求項３１】
上記連結部の形状は、上記空間が縮小される第一の構成と上記空間が拡張される第二の構成との間で変化するように適合されていることを特徴とする請求項２０に記載のコンドームホルダー。
【請求項３２】
上記第二の構成にて上記ホルダーを保持するためのホルダー保持デバイスを備えていることを特徴とする請求項３１に記載のコンドームホルダー。
【請求項３３】
上記連結部が、上記ホルダーを上記第一の構成に戻す傾向がある弾性部材を備えていることを特徴とする請求項３１に記載のコンドームホルダー。
【請求項３４】
少なくとも３つの上記固定部を備えており、
該少なくとも３つの固定部は、該少なくとも３つの固定部を通して少なくとも１８０°の弧を描くことができるように設けられていることを特徴とする請求項２０に記載のコンドームホルダー。
【請求項３５】
上記固定部がコネクタによって連結されており、
該コネクタをコンドームの平面に垂直な方向に移動させるための移動手段を備えており、
該固定部の回転は該コネクタの移動によってもたらされることを特徴とする請求項２０に記載のコンドームホルダー。
【請求項３６】
上記移動手段はレバーを備えており、
該レバーの一方の末端は上記コネクタに取り付けられており、該レバーの他方の末端は使用者の手の指によって操作されるように適合されており、
該レバーのピボットは上記固定部を結ぶ連結部に位置していることを特徴とする請求項３５に記載のコンドームホルダー。
【請求項３７】
上記コネクタを移動させる移動手段と連結された、ホームポジションにおいて上記固定部をロックするためのロック手段を備えていることを特徴とする請求項２０に記載のコンドームホルダー。
【請求項３８】
コンドームホルダーであって、
平坦に整えられたコンドームを配置し得る空間を少なくとも部分的に規定する該コンドームホルダーからコンドームを外すための手段と、巻いた状態のコンドームの端部を収容するために適合されたフックを具備している少なくとも１つの固定部と、該固定部を結ぶ連結部とを備えているコンドームホルダーにおいて、
コンドームの端部用のプッシュバーを少なくとも１つ備えており、
該プッシュバーは、該プッシュバーとコンドームの端部とを接触させて、該端部を少なくとも１つのフックに対して移動させるように、使用者が該プッシュバーを操作する手段を具備していることを特徴とするコンドームホルダー。
【請求項３９】
上記固定部が、上記巻いた状態のコンドームのリングの内側を保持するように適合されていることを特徴とする請求項３８に記載のコンドームホルダー。
【請求項４０】
上記固定部が輪なわ状であることを特徴とする請求項３８に記載のコンドームホルダー。
【請求項４１】
上記固定部が、上記巻いた状態のコンドームのリングの外側を保持するように適合されていることを特徴とする請求項４０に記載のコンドームホルダー。
【請求項４２】
上記プッシュバーがストリップを備えていることを特徴とする請求項３８に記載のコンドームホルダー。
【請求項４３】
上記ストリップが上記フックに取り付けられていることを特徴とする請求項４２に記載のコンドームホルダー。
【請求項４４】
上記ストリップが上記フックの内側に配置されていることを特徴とする請求項４２に記載のコンドームホルダー。
【請求項４５】
上記ストリップが上記フックを包囲していることを特徴とする請求項４２に記載のコンドームホルダー。
【請求項４６】
上記ストリップの末端が上記連結部に取り付けられていることを特徴とする請求項４５に記載のコンドームホルダー。
【請求項４７】
上記プッシュバーが、上記フックの内側に配置されるセミリングを備えていることを特徴とする請求項３８に記載のコンドームホルダー。
【請求項４８】
少なくとも１つのさらなるプッシュバーと、該プッシュバーを同時に操作する手段とを備えていることを特徴とする請求項３８に記載のコンドームホルダー。
【請求項４９】
ガイドウェイを備えており、
上記プッシュバーは、該ガイドウェイに沿って移動するように適合されたＵ状の異形材を有するプレートを備えていることを特徴とする請求項３８に記載のコンドームホルダー。
【発明の詳細な説明】
【技術分野】
【０００１】
本発明は、障害式避妊具に関し、特にコンドームホルダーに関する。
【背景技術】
【０００２】
コンドームは、天然のラテックスまたはこれとは別の材料で作製されたスキンであり、ペニスを全体的にまたは部分的に覆うものである。コンドームは、性交渉を通じて伝染する疾患および／または望まれない妊娠を防ぐために使用される。従来のコンドームを図１に示す。コンドームには、陰茎亀頭のみを覆う、いわゆるマイクロコンドームというものもある。
【０００３】
小型で使用しやすいものにするため、コンドームは概してリング状に巻かれている。実際には、コンドームを巻くために従来用いられた方向と反対の方向に巻くこともできる。また、コンドームは、伸ばしたり、折りたたんだりすることもできる。コンドームを保管するときは、概して密閉した膜でコンドームを包装する。この膜は、コンドームと十分に密接し、保管時および輸送時にコンドームを保護するに充分な強度を通常は有する弾性シート材のパッケージとして、一般的に形成される。パッケージは概して、開封を容易にする手段、例えば切り込みまたは強度が低減された領域をパッケージの側面に備えるか、あるいは一端部がパッケージの外側に伸びる密封ストリップを備えている。開封したら、コンドームを勃起したペニスにかぶせ、ペニスの根元まで転がして伸ばす。
【０００４】
マイクロコンドームは、陰茎亀頭のみを覆うので、転がして伸ばすという必要性がない場合もある。従って、マイクロコンドームは、仮に転がして伸ばすとしても、その程度は極微小である。
【０００５】
従来のコンドームの主な欠点は、開封してコンドームを装着する際に時間と手間がかかることである。その結果、使用者の注意が性交から逸れてしまう。
【０００６】
また、コンドームを装着するために両手を使用する必要がある。しかし、概して使用者は片手のみが自由であり、もう片方の手は自分自身を支えるか、または女性の頭部の下に置いている（図２参照）。このため、この手の動きは限られてしまう。一般的に、この体勢は不安定であり、使用者が２つ目の手を解放できるのもわずかな時間しかない。従って、開封してコンドームを装着する際に、使用者は時々別の手を使用しつつも、片方の手しか自由に動かすことができない。
【０００７】
コンドームを装着する際に費やされる各瞬間は、使用者にとって重要なものとなり得る。コンドームのパッケージを素早く、便利に、簡単に取り扱える必要性は、私的な生活で使用される他のどんな包装製品よりも高い。さらに、必要なときでさえコンドームを使用しない人がいることも知られており、これの主な理由は、コンドームを装着するために多大なる時間と労力が必要であり、その結果、性交から気が逸れるということである。本発明の目的は、コンドームの開封および装着に必要な工程を単純化し、この工程の数を低減させることである。この問題が解決できれば、
ａ）全体としてコンドームの使用が増加し、その一方で、
ｂ）危険な性交を行いつつもコンドームを全く使用しない、またはほとんど使用しない人の数が減少する。
【０００８】
このことは、無制限な出生率の増加（特に人口過剰な途上国において）を食い止めることに加えて、ＨＩＶ問題の解決に役立ち得る。
【０００９】
コンドームホルダーとして知られるデバイスは、コンドームを保持し（たいていの場合、巻いた状態のコンドームの端部を保持し）、これにより、使用者はコンドームホルダーを把持し、コンドームをペニスの上部から下部へと移動させることによってコンドームを装着することができる。この過程において、コンドームはペニスの軸部に沿って転がり伸びる（あらかじめ巻いてあるコンドームを使用する場合）。
【００１０】
コンドームホルダーは、中空リングであって、その外周にそって溝が伸び、コンドームを受容する凹部を規定する中空リングであり得る。この溝の形状および位置は異なり得る（例えば、ＵＳ４７３８３５７、Ｍａｒｔｉｎら，１９８８参照）。
【００１１】
ホルダーの内径がコンドームのリングの内径以上の大きさを有すると、凹部は外側に開くことができる。この場合、コンドームのリングの中央に向かう力が生じ、これによってリングが溝からはみ出てしまうのを防ぐ。
【００１２】
この種のホルダーは、以下の特許文献にて開示されている：ＪＰ６１５４２６０（Ｔｏｓｈｉｈｉｒｏ，１９９４），ＪＰ７３０８３３６，Ｔａｄａｓｈｉ，１９９５），ＵＳ５５７９７８４（Ｈａｒａｒｉ，１９９６），ＤＥ１９６４１１０７（Ｒａａｂｅ，１９９８），ＵＳ５４３７２８６（Ｓｔｒａｔｔｏｎ，１９９５），ＦＲ２７５１８６９（Ｌｏｙｅｒ，１９９８）。
【００１３】
また、コンドームのリング全体を取り囲むコンドームホルダー（例えば、ＵＳ５１６３４４９，ｖａｎ  ｄｅｒ  Ｖａｌｋ，１９９２参照）あるいはＣ形またはＵ型といった切れ目を１つ有するコンドームホルダー（例えば、ＵＳ４８７５４９１，Ｐａｒｒｏｎｅ（１９８９）参照）が知られている。
【００１４】
ホルダーは、互いに隔てられた固定部によってコンドームのリングを保持してもよいし（例えば、ＦＲ２７２７８５８，Ｖｅｇｅｇａ，１９９６参照）、リングの全周に沿ってコンドームのリングを連続的に保持してもよい。
【００１５】
巻いた状態のコンドームの端部を保持する他の手段を用いることも出来る。例えば、コンドームのリングを一対のローラーで保持することができる（例えば、ＷＯ９８０１０９５，Ｌｉｅｈｓ（１９９９）参照）。
【００１６】
ＷＯ２００７／０２１１８４（Ｔｕｎｏｖｉｃ  Ａｄｎａｎら，２００７）に開示のコンドームホルダーは、２つのパーツから成ることが知られており、各パーツは、コンドームのリングの外側を保持する多くの輪なわとして形成された固定部を少なくとも１つ備えている。ペニスは、コンドームを介してこの固定部と接触するため、ホルダーの固定部がコンドームのリングの内側を取り囲み、直接ペニスと接触する場合よりも、使用者の不快感は非常に少ない。
【００１７】
また、両手で把持する２つのパーツから成るホルダーも知られている（ＷＯ０２／０６９８６１，Ｖａｎ  Ｒｅｎｓｂｕｒｇ，２００２参照）。
【００１８】
本願において請求されたホルダーと最も近いと考えられるホルダーが、ＦＲ２７２７８５８（Ｖｅｇｅｇａ，１９９６）に記載されている。このホルダーは複数の固定部とこれらの複数の固定部を結ぶ連結部とを備えている。これらの固定部は、巻いた状態のコンドームの端部を受容するために適合されたフックを備えている。固定部は、ホルダーに取り付けられており、フックが屈曲する方向と同じ方向に回転するように適合されている。
【００１９】
この設計によれば、固定部が回転する角度を変更することによって、コンドームを任意の直径のペニスに装着することが可能になる。しかし、コンドームを装着する際に、ホルダーの固定部はペニスと接触するため、使用者は不快感を感じることがある。
【００２０】
さらに、コンドームからホルダーを外すという問題もある。コンドームを装着した後に、巻いた状態のコンドームのリングの直径は減少するが（コンドームは標準の長さであり、概して完全に展開されていない。）、コンドームのリングは固定部内に残留している。すなわち、コンドームのリングの直径が減少することによって、コンドームをホルダーから自動的に外すことができなくなる。
【００２１】
ホルダーとペニスとの接触を回避するために、コンドームを引き伸ばした形状のまま維持するようにこのホルダーを改変することができる。この実施形態では、コンドームのリングは、コンドームのリングによって生じ、ホルダーの中心部へ向かうように方向付けられた弾性力により固定部に保持される。コンドームを装着した後では、この弾性力は減少するとはいえ、それでも十分強く、コンドームのリングは固定部に対して寄りかかる。コンドームをホルダーから外すために、使用者は一方の手でホルダーを保持し、他方の手で固定部の近辺のコンドームのリングを保持して、コンドームを外すことが要求される。この方法を実施するために、両手を使用する必要があり、さらに言えば、コンドームは滑りやすく、ヌルヌルしている。コンドームのリングからホルダーを除去するために、両手を使用する必要性は、片手を用いて装着するホルダーの潜在的な利点を無価値なものにしてしまう。したがって、使用者は、ホルダーをコンドームから除去するために相当努力するため、関心が性交から逸れてしまう。
【００２２】
さらに、コンドームをホルダーから除去するという上述した手順を行った結果、コンドームは、ペニスに沿って部分的に巻き戻される場合がある。また、使用者の指が滑剤に塗れ、不快感を感じるものもいる。滑剤をコンドームから除去すると、使用者に不快感を引き起こすこともあり得る。
【００２３】
ＷＯ０２０６９８６１（Ｖａｎ  Ｒｅｎｓｂｕｒｇ，２００２）に記載のコンドームホルダーは、フックとして形成され、２等分されるように適合された固定部を備えている。使用者は、ホルダーの半分を両手で保持し、ペニスの根元へホルダーを移動させながら、コンドームを装着する。ホルダーの設計から理解されるように、ホルダーとコンドームとを分離させるために、使用者は、ホルダーの半分をペニスに対して固定部のフックが屈曲している方向とは反対方向に回転させる。コンドームのリングがホルダーの固定部から外されるように、フックはホルダーの各半分に配置されている。それ故、コンドームを装着し、これをホルダーから外すために、使用者は両手を使うことが必要になる。
【００２４】
本願において請求されたコンドームを装着する方法と最も近いと考えられる方法は、ＦＲ２７２７８５８（Ｖｅｇｅｇａ，１９９６）に記載されている。この方法によれば、固定部を備えるホルダーによって保持されたコンドームは、片手でホルダーを把持し、ペニスの根元へこのホルダーを移動させることによって装着される。各固定部は、フックを備えており、巻いた状態のコンドームの端部を受容するように適合されている。次いで、使用者は、ホルダーの弱い領域を裂くことによってホルダーを開く。そして、ホルダーを横方向に除去する。コンドームが装着されるにつれ、巻いた状態のコンドームのリングの直径は減少するが、このリングは固定部から自動的に外れない。このため、コンドームのリングを固定部から外すために、使用者はもう片方の手を使用する必要がある。このことは、上述したように、不快であり、ホルダーの潜在的な利点を無価値なものにしてしまう。
【００２５】
特に、フックとして形成された固定部およびＯ状またはＣ状の連結部を備えるホルダー（このホルダーは種々の側面からペニスを取り囲んでいる。）からコンドームを、このホルダーをペニスに対して回転させることによって外すことは不可能であるか、少なくとも非常に困難である。なぜなら、一方の側の固定部を外そうとすると、他方の側の固定部によって妨害されるからである。さらに、コンドームは、無効なものになり、ペニスから部分的にずれてしまうこともあり得る。
【先行技術文献】
【特許文献】
【００２６】
【特許文献１】ＵＳ４７３８３５７
【特許文献２】ＪＰ６１５４２６０
【特許文献３】ＪＰ７３０８３３６
【特許文献４】ＵＳ５５７９７８４
【特許文献５】ＤＥ１９６４１１０７
【特許文献６】ＵＳ５４３７２８６
【特許文献７】ＦＲ２７５１８６９
【特許文献８】ＵＳ５１６３４４９
【特許文献９】ＵＳ４８７５４９１
【特許文献１０】ＦＲ２７２７８５８
【特許文献１１】ＷＯ９８０１０９５
【特許文献１２】ＷＯ２００７／０２１１８４
【特許文献１３】ＷＯ０２／０６９８６１
【特許文献１４】ＷＯ０２０６９８６１
【発明の概要】
【発明が解決しようとする課題】
【００２７】
本発明の目的は、片手で把持することができるフレームワークを形成するために互いに連結されたフックとして形成された固定部、を備えているコンドームホルダーを提供することである。このホルダーは、コンドームを装着する方法、およびコンドームを装着した後に、ホルダーを確実、迅速および好都合に除去する方法を提供する。コンドームを装着する間に実施される全ての操作は、片手を使用して実施されることが好ましい。コンドームを装着した後に横方向にホルダーを除去することが可能である。このため、コンドームを装着する方法は、使用者の関心が性交から逸れることを最小限に止める。
【課題を解決するための手段】
【００２８】
上述の問題点は次のコンドームホルダーを提供することによって解決される。すなわち、このコンドームホルダーは、平坦に整えられたコンドームを配置し得る空間を少なくとも部分的に規定するコンドームホルダーからコンドームを外す手段と、巻いた状態のコンドームの端部を収納するために適合されたフックを具備している少なくとも１つの固定部と、固定部を結ぶ連結部とを備えている。このホルダーは少なくとも１つの固定部が回転することができるように形成されており、少なくとも１つの固定部は、固定部のフックが屈曲している方向と反対方向へ回転することができるように構成されている。
【００２９】
これによれば、コンドームを装着し、次いでホルダーを除去するために、片手だけが必要とされる。このような作業は片手の指の単純な動作によって実施される。固定部は回転するように適合されているため、ホルダーを迅速かつ好都合に除去することができる。
【００３０】
ホルダーは、固定部のフックが屈曲している方向に固定部が回転することを防止するストッパーを備えていてもよい。
【００３１】
少なくとも１つの固定部は連結部に対して回転するように適合されていてもよいし、連結部と一緒に回転するように適合されていてもよい。
【００３２】
ストッパーは、コンドームの平面よりも上に、固定部が回転することを防止し得るものである。
【００３３】
上述の回転は蝶番のジョイントによってもたらされてもよい。
【００３４】
上述の回転は、弾性コネクタによってもたらされてもよい。
【００３５】
少なくとも２つの固定部は、同時に回転するように適合されていてもよい。
【００３６】
連結部は少なくとも１つの弧形バンドを備えていてもよい。
【００３７】
ホルダーは、弧形バンドの外側に配置されたハンドルを備えていてもよい。
【００３８】
連結部の形状は、空間が縮小される第一の構成と空間が拡張される第二の構成との間で変化するように、ホルダーが適合されていてもよい。
【００３９】
連結部は弾性であってもよい。
【００４０】
ホルダーは、第二の構成にてホルダーを保持するためのホルダー保持デバイスを備えていてもよい。
【００４１】
ホルダーは、ホルダーを第一の構成に戻す傾向がある弾性部材を備えていてもよい。
【００４２】
ホルダーは、少なくとも３つの固定部を備えていてもよく、これらの固定部は、該固定部を通して少なくとも１８０°の角度を有する弧を描くことができるように設けられている。
【００４３】
固定部は、輪なわ状であってもよく、巻いた状態のコンドームの端部の外側を保持するように適合されていてもよい。
【００４４】
ホルダーは、連結部に対して同時に回転するように適合されている２つの固定部を備えていてもよい。
【００４５】
固定部は、巻いた状態のコンドームのリングの内側を保持するように適合されていてもよい。
【００４６】
さらに、上述の問題点は次のコンドームホルダーを提供することによって解決される。すなわち、このコンドームホルダーは、平坦に整えられたコンドームを配置し得る空間を少なくとも部分的に規定するコンドームホルダーからコンドームを外す手段と、巻いた状態のコンドームの端部を収容するために適合されたフックを具備している少なくとも１つの固定部と、固定部を結ぶ連結部とを備えている。このホルダーは、少なくとも１つの固定部が回転することができるように形成されており、かつ少なくとも１つの回転手段を備えている。この少なくとも１つの回転手段は、手の指によって操作される（affected）ように適合されており、少なくとも１つの固定部に連結されており、固定部のフックが屈曲している方向と反対方向へ固定部を回転させるものである。
【００４７】
少なくとも１つの固定部は連結部に対して回転するように適合されていてもよいし、連結部と一緒に回転するように適合されていてもよい。
【００４８】
ホルダーは、固定部のフックが屈曲している方向へ固定部が回転することを防止するストッパーを備えていてもよい。
【００４９】
ホルダーは、コンドームの平面よりも上に、固定部が回転することを防止するストッパーを備えていてもよい。
【００５０】
上述の回転は、蝶番のジョイントまたは弾性コネクタによってもたらされてもよい。
【００５１】
少なくとも２つの固定部は同時に回転するように適合されていてもよい。
【００５２】
連結部は少なくとも１つの弧形バンドを備えていてもよい。
【００５３】
ホルダーは、弧形バンドの外側に配置されたハンドルを備えていてもよい。
【００５４】
回転手段はレバーを備えていてもよい。
【００５５】
連結部の形状は、空間が縮小される第一の構成と空間が拡張される第二の構成との間で変化するように、ホルダーが適合されていてもよい。
【００５６】
ホルダーは、第二の構成にてホルダーを保持するためのホルダー保持デバイスを備えていてもよい。
【００５７】
ホルダーは、ホルダーを第一の構成に保持する弾性部材を備えていてもよい。
【００５８】
ホルダーは、少なくとも３つの固定部を備えていてもよく、これらの固定部は、該固定部を通して少なくとも１８０°の角度を有する弧を描くことができるように設けられている。
【００５９】
ホルダーは、固定部と連結している可動性コネクタと、可動性コネクタをコンドームの平面に対して垂直な方向に移動させる手段とを備えていてもよい。固定部の回転は、この可動性コネクタの移動によってもたらされる。
【００６０】
可動性コネクタを移動させる手段はレバーを備えており、レバーの一方の末端は可動性コネクタに取り付けられており、レバーの他方の末端は手の指によって操作されるように適合されており、レバーのピボットは固定部を結ぶ連結部に位置している。
【００６１】
可動性コネクタを移動させる手段と連結された、ホームポジションにおいて固定部を保持する手段を、ホルダーは備えていてもよい。
【００６２】
さらに、上述の問題点は次のコンドームホルダーを提供することによって解決される。すなわち、このコンドームホルダーは、平坦に整えられたコンドームを配置し得る空間を少なくとも部分的に規定するコンドームホルダーからコンドームを外す手段と、巻いた状態のコンドームの端部を収容するために適合されたフックを具備している少なくとも１つの固定部と、固定部を結ぶ連結部とを備えている。このホルダーはさらに、コンドームの端部用のプッシュバーを少なくとも１つ備えており、このプッシュバーは、プッシュバーとコンドームの端部とを接触させて、この端部を少なくとも１つのフックに対して移動させるように、使用者がプッシュバーを操作する手段を具備している。
【００６３】
固定部は、巻いた状態のコンドームのリングの内側を保持するように適合されていてもよい。
【００６４】
固定部は輪なわ状であってもよい。
【００６５】
固定部は、巻いた状態のコンドームのリングの外側を保持するように適合されている。
【００６６】
プッシュバーがストリップを備えていてもよい。
【００６７】
ストリップはフックに取り付けられていてもよい。
【００６８】
ストリップはフックの内側に配置されていてもよい。
【００６９】
ストリップはフックを包囲していてもよく、ストリップの他方の末端は連結部に取り付けられていてもよい。
【００７０】
プッシュバーは、フックの内側に配置されるセミリングを備えていてもよい。
【００７１】
ホルダーは、少なくとも１つのさらなるプッシュバーと、プッシュバーを同時に操作する手段を備えていてもよい。
【００７２】
ホルダーは、ガイドウェイを備えていてもよく、プッシュバーは、このガイドウェイに沿って移動するように適合されたＵ状の異形材を有するプレートを備えていてもよい。
【００７３】
さらに、上述の問題点は、次のホルダーによって把持された、平坦に整えられたコンドームを装着する方法を提供することによって解決される。すなわち、このホルダーは、少なくとも３つの固定部を備えており、これらの固定部は、該固定部を通して少なくとも１８０°の角度を有する弧を描くことができるように設けられている。これらの固定部のそれぞれは、フックを備えており、巻いた状態のコンドームの端部を収納するために適応されている。ホルダーはまた、固定部を結ぶ連結部を備えている。少なくとも１つの固定部は、固定部のフックが屈曲している方向と反対方向に回転し、次いで少なくとも１つの固定部から外すように適合されている。本発明の方法によれば、使用者は片手でホルダーを把持して、ペニスの根元へこのホルダーを移動させることによってコンドームを装着し、さらに、同じ手の指を用いて少なくとも１つ固定部に連結された回転手段を操作することによって、少なくとも１つの固定部を固定部のフックが屈曲している方向と反対方向に回転させる。
【００７４】
このような動作はホルダーを把持する手と同じ手の指を用いて実施される。
【００７５】
このような動作はレバーによって実施される。
【００７６】
このような動作は押すことである。
【００７７】
押すことは、コンドームの平面上のホルダーの両側に対して実施される。
【００７８】
このような動作は、ホルダーに連結されたボタンによって実施される。
【００７９】
このような動作は、ボタンを押すことであってもよいし、ボタンを移動させることであってもよい。
【００８０】
いくつかの改変では、同時に回転するように適合された少なくとも２つの固定部が回転される。他の改変では、同時に回転するように適合された全ての固定部が回転される。
【００８１】
コンドームが装着される前に、ホルダーを操作することによってコンドームは伸長される。固定部を結ぶ連結部は、ホルダーに連結された保持デバイスによってコンドームが伸長される位置において、保持される。
【００８２】
ホルダーの固定は、固定部が押される前に解除される。
【００８３】
少なくとも１つの固定部の回転は、固定部を結ぶ連結部をペニスに対して押すことによって実施される。
【００８４】
ホルダーの固定は、ホルダーに連結されたボタンを操作することによって解除される。この動作はボタンを押すことであってもよいし、移動させることであってもよい。
【００８５】
以下では、添付の図面を参照しながら本発明の詳細な説明を記載する。
【図面の簡単な説明】
【００８６】
【図１】使用者の手で把持される従来のコンドームの斜視図である。
【図２】コンドームを装着するプロセスの前の状態を示す図である。
【図３】他の実施形態におけるホルダーの斜視図である。
【図４】コンドームが図３に示すホルダーから分離しているときの、このホルダーを示す斜視図である。
【図５】図３に示されたホルダーの一部の側面を示す模式図であり、図３に示すホルダーを用いてコンドームを装着するプロセスを説明する模式図である。
【図６】図３に示されたホルダーの一部の側面を示す模式図であり、図３に示すホルダーを用いてコンドームを装着するプロセスを説明する模式図である。
【図７】図３に示すホルダーを用いてコンドームを装着するプロセスを示す斜視図である。
【図８】図３に示すホルダーを用いてコンドームを装着するプロセスを示す斜視図である。
【図９】図３に示すホルダーを用いてコンドームを装着するプロセスを示す斜視図である。
【図１０】ホルダーの別の実施形態を示す斜視図である。
【図１１】別の実施形態におけるホルダーの一部の側面を示す模式図であり、このホルダーを用いてコンドームを装着するプロセスを説明する模式図である。
【図１２】別の実施形態におけるホルダーの一部の側面を示す模式図であり、このホルダーを用いてコンドームを装着するプロセスを説明する模式図である。
【図１３】別の実施形態におけるホルダーの一部の側面を示す模式図であり、このホルダーを用いてコンドームを装着するプロセスを説明する模式図である。
【図１４】コンドームを有するホルダーの別の実施形態を示す斜視図である。
【図１５】図１４に示されたホルダーのパーツを示す分解立体図である。
【図１６】図１４に示されたホルダーを用いてコンドームを装着するプロセスを示す斜視図である。
【図１７】別の実施形態のホルダーを示す斜視図である。
【図１８】図１７に示すホルダーのパーツを示す分解立体図である。
【図１９】さらに別の実施形態のホルダーを示す斜視図である。
【図２０】図１９に示すホルダーのパーツを示す分解立体図である。
【図２１】図１９に示すホルダーの側面の模式図である。
【図２２】図１９に示すホルダーのパーツを示す分解立体図である。
【図２３】図１９に示すホルダーを用いてコンドームを装着するプロセスを説明する模式図である。
【図２４】図１９に示すホルダーを用いてコンドームを装着するプロセスを説明する模式図である。
【図２５】図１９に示すホルダーを用いてコンドームを装着するプロセスを説明する模式図である。
【図２６】さらに別の実施形態のホルダーを示す斜視図である。
【図２７】コンドームを有する図２６に示すホルダーの断面図である。
【図２８】ボタンが除去された図２６に示すホルダーの斜視図である。
【図２９】図２６に示すホルダー内の固定部を回転させるプロセスを説明する斜視図である。
【図３０】図２６に示すホルダーの断面の模式図である。
【図３１】図２９に示すホルダーの断面の模式図である。
【図３２】さらに別の実施形態のホルダーを示す斜視図である。
【図３３】図３２に示すホルダーを用いてコンドームを装着するプロセスを説明する模式図である。
【図３４】図３２に示すホルダーを用いてコンドームを装着するプロセスを説明する模式図である。
【図３５】さらに別の実施形態のホルダーを示す斜視図である。
【図３６】図３５に示すホルダーの一部の側面の模式図であり、図３５に示すホルダーを用いてコンドームを装着するプロセスを説明する模式図である。
【図３７】図３５に示すホルダーの一部の側面の模式図であり、図３５に示すホルダーを用いてコンドームを装着するプロセスを説明する模式図である。
【図３８】さらに別の実施形態のホルダーの一部を示す模式図である。
【図３９】さらに別の実施形態のホルダーの一部を示す模式図である。
【図４０】さらに別の実施形態のホルダーを示す斜視図である。
【図４１】図４０に示すホルダーの一部の側面の模式図であり、図４０に示すホルダーを用いてコンドームを装着するプロセスを説明する模式図である。
【図４２】図４０に示すホルダーの一部の側面の模式図であり、図４０に示すホルダーを用いてコンドームを装着するプロセスを説明する模式図である。
【図４３】さらに別の実施形態のホルダーを示す斜視図である。
【図４４】図４３に示すホルダーの一部の側面の模式図であり、図４３に示すホルダーを用いてコンドームを装着するプロセスを説明する模式図である。
【図４５】図４３に示すホルダーの一部の側面の模式図であり、図４３に示すホルダーを用いてコンドームを装着するプロセスを説明する模式図である。
【図４６】ホルダーに使用されるさらに別の実施形態の固定部を示す斜視図である。
【図４７】図４６に示す固定部の一部の側面の模式図であり、図４６に示す固定部を備えるホルダーを用いてコンドームを装着するプロセスを説明する模式図である。
【図４８】図４６に示す固定部の一部の側面の模式図であり、図４６に示す固定部を備えるホルダーを用いてコンドームを装着するプロセスを説明する模式図である。
【図４９】ホルダーに使用されるさらに別の実施形態の固定部を示す斜視図である。
【図５０】ホルダーに使用されるさらに別の実施形態の固定部を示す斜視図である。
【図５１】図５０に示す固定部の一部の側面の模式図であり、図５０に示す固定部を備えるホルダーを用いてコンドームを装着するプロセスを説明する模式図である。
【図５２】図５０に示す固定部の一部の側面の模式図であり、図５０に示す固定部を備えるホルダーを用いてコンドームを装着するプロセスを説明する模式図である。
【図５３】コンドームを有するさらに別の実施形態のホルダーを示す斜視図である。
【図５４】コンドームを除去した後の図４４に示すホルダーの斜視図である。
【図５５】図５３に示すホルダーの一部の側面の模式図であり、図５３に示すホルダーを用いてコンドームを装着するプロセスを説明する模式図である。
【図５６】図５３に示すホルダーの一部の側面の模式図であり、図５３に示すホルダーを用いてコンドームを装着するプロセスを説明する模式図である。
【図５７】さらに別の実施形態のホルダーを示す斜視図である。
【図５８】図５７に示すホルダーのパーツを示す分解立体図である。
【図５９】コンドームを有する図５７に示すホルダーの斜視図である。
【図６０】図５７に示すホルダーからコンドームが分離した後の構成を示す斜視図である。
【図６１】図５７に示すホルダーの一部の側面の模式図であり、図５７に示すホルダーを用いてコンドームを装着するプロセスを説明する模式図である。
【図６２】図５７に示すホルダーの一部の側面の模式図であり、図５７に示すホルダーを用いてコンドームを装着するプロセスを説明する模式図である。
【図６３】さらに別の実施形態のホルダーを示す斜視図である。
【図６４】図６３に示すホルダーのパーツを示す分解立体図である。
【図６５】コンドームを有する図６３に示すホルダーの斜視図である。
【図６６】図６３に示すホルダーからコンドームが分離した後の構成を示す斜視図である。
【発明を実施するための形態】
【００８７】
図３〜９に本発明の一実施形態を示す。この実施形態では、ホルダー１は非弾性の弧形バンド２を備えている。このバンド２には、蝶番３および４を用いて２つの非弾性のバンド５および６が取り付けられている（図３）。固定部７は、フックとして形成されており、ペアになって矢板８および９と連結されている（図４）。各矢板は、輪なわ１１（図４，６）を用いてバンド５および６に取り付けられるイヤー１０を備えている（図４，６）。矢板８，９をバンド５および６にこのように連結することによって、矢板８および９を固定部７のフックが屈曲する方向と反対方向に回転させることができ、その結果、固定部７も固定部７のフックが屈曲する方向と反対方向に回転させることができる。
【００８８】
コンドーム１３の端部１２はリング状に巻かれており、フックに配置されている。コンドームは、コンドームの末端を除いて、バンド２によって形成された領域を覆っている。リング状に巻いた状態のコンドームの赤道面（ｅｑｕａｔｏｒ）を通る平面を本明細書ではコンドームの平面と呼ぶ。
【００８９】
フックの形状は、巻いた状態のコンドーム１３を装着するときに、このコンドーム１３の端部１２をフックに堅固に保持することができるように選択される（図７）。固定部７の円方向の長さは、５ｍｍ〜１ｃｍであることが好ましい。しかし、約２５ｍｍの長さというより長い固定部を使用することも可能である。さらに、ホルダーがフックとして形成された固定部を１つだけ備えており、他の固定部が別の様式で（例えばコンドーム内に巻かれるストリップとして）形成されているように改変することも可能である。
【００９０】
弧形バンド２は弾性コネクタ１４を備えており、このバンドの両側にハンドル１５および１６が形成されている。ハンドル１５および１６ならびに弧形バンド２はてこ装置を形成し、このてこ装置の回転軸はコネクタ１４に配置されている。
【００９１】
ホルダーは保持デバイス１７を備えている（図３）。保持デバイス１７はハンドル１６上に配置されており、図７に示すようにハンドル１５および１６を互いに固定する。図３に示すように、保持デバイス１７は、弾性コネクタ１８を有する蝶番のジョイントによってハンドル１５に取り付けられるプレートである。このプレートはラグ１９を備えている。また、開口部２０がハンドル１６に設けられており、ラグ１９を固定するために使用される。
【００９２】
図７〜９に示すようにコンドームを装着する前に、ハンドル１５および１６は合わせられており、保持デバイス１７によって固定されている。これにより、ホルダーによって規定される領域は拡張し、コンドームは図７に示すように伸長される。
【００９３】
コンドームを装着するとき、手の指でハンドル１５および１６を用いてホルダーを把持しながら、ホルダー１をペニスの根元へ移動させる。次いで、ハンドルの固定を解除すると、コンドーム１３の端部１２において形成された弾性力によって、バンド５および６は互いに向かって移動する。固定部７はペニスに寄りかかっている。しかし、固定部がペニスに寄りかかる力は、固定部のフックが屈曲している方向と反対方向への固定部の回転を開始するに不十分である。使用者はバンド５および６を自身の指で押すことによって、固定部を回転させることができる（図８において、押す方向を矢印で示す。）。固定部７は、固定部のフックが屈曲している方向と反対方向に回転する。固定部が特定の角度に回転するとき、コンドーム１３の端部１２は、支障なく固定部のフックから離れることができる。コンドーム１３の端部１２が外れた後に、ホルダーを横方向に除去する（図９）。
【００９４】
図５に示すように、ペニスに寄りかかっている固定部７の回転軸１７９は、この固定部とペニスとの接点１８０よりも低い位置にある。この回転軸１７９と接点１８０とのこのような相対的な位置関係では、固定部のフックが屈曲している方向と反対方向へ固定部を安定して回転させるために、反対方向への固定部の回転を制限することが必要である。図１０〜１２に示したフックの別の実施形態では、ペニスによりかかっている固定部の回転軸１７９は、この固定部とペニスとの接点１８０よりも高い位置にあり、固定部を所定の方向に回転させることが可能である。
【００９５】
ホルダーの設計は、保持デバイスが除去され、固定部がペニスにより近づいた後に、使用者がバンド５および６をさらに押す必要がないというものであってもよい。図１３に示す実施形態では、コネクタ１４は弾性であり、ホルダー１は、保持デバイスを除去する前に伸長される弾性ストリップ２１を備えている。固定を解除した後に、ストリップ２１において形成された弾性力は、バンド５および６を互いに向かって移動させる傾向がある。この移動の結果、固定部は力をかけながらペニスに寄りかかり、次いで回転する。
【００９６】
この実施形態では、コンドームをホルダーから外すために、使用者は１つの操作を実施することが要求される。すなわち、使用者は（例えば、ボタンを押すか、またはスライドさせることによって）保持デバイスをホルダーから除去しなければならないということである。このため、使用者の性交への関心が逸れることは、最小限になる。
【００９７】
上述したようなバンド５および６をさらに押すことは、異なる方法で実施されてもよい。例えば、コネクタ１４は弾性であってもよく、ホルダーによって規定される領域は、固定が解除された後において、ペニスの平均直径よりも幾分小さくてもよい。ホルダーによって規定される領域が拡張されたときの状態でホルダーを保持するとき、コネクタ１４に負荷がかけられる。固定を解除しすると、コネクタ１４において生じた弾性力によって、ホルダーによって規定される領域が縮小する状態にホルダーは移行し、バンド５および６はペニスに寄りかかる。
【００９８】
保持デバイスを他の様式で形成できることは明白である。例えば、保持デバイスは、可動性のボタンであってもよいし、ハンドル１５および１６に装着され、これらを互いに固定するリングであってもよい（図示しない。）。
【００９９】
さらに、コンドームをホルダーから外すために、全ての固定部を同時にペニスに寄りかからせるだけでなく、固定部のいくつかを寄りかからせることも可能であるし、または、このような固定部をペニスに交互に寄りかからせることも可能である。
【０１００】
例えば１つの固定部がペニスに寄りかかるという改変も可能である。フックが屈曲している方向と反対方向にホルダーをある角度に回転すれば、コンドームを他の固定部から外すために十分である。
【０１０１】
固定部と連結しているバンド２は、リング状（Ｃ状）であってもよいし、これとは異なる形状であってもよい。バンド２は複数の固定部を結ぶ連結部であることに意義がある。このような連結部であるため、バンド２は、これらの固定部を相互に連係させ、片手でバンド２を把持しながら同時に移動させることを可能にする。
【０１０２】
ホルダーはまた、ホルダーの折りたたみを解除するデバイスを備えていてもよい（図示しない。）。このデバイスは、例えばバンド２に連結されたスプリングであってもよい。コンドームが保存されているときに、ホルダーは折りたたまれ、スプリングはある保持デバイス（例えばスプリングが寄りかかるパッケージ）によって負荷をかけられる。このデバイスは、ホルダー内のコンドームを伸長されない状態で維持することを可能にする。コンドームを開封した場合に、保持デバイスは除去され、ホルダーのスプリングは解放され、コンドームは伸長される。折りたたみを解除するデバイスは他の設計も可能である。
【０１０３】
固定部のフックが屈曲している方向と反対方向に固定部を回転させる手段は、上述した様式と異なる様式で備えられていてもよい。例えば、固定部の回転は、固定部に連結された弾性部材（スプリング）または固定部を結ぶ連結部に連結された弾性部材（スプリング）によってもたらされてもよい（図示しない。）。ホルダーが保存されている場合に、弾性部材に負荷がかけられるか、または開封のプロセスの間において弾性部材に負荷がかけられる。固定を解除することによって、固定部を回転させる弾性力が得られるか、または連結部と一緒に固定部を回転させる弾性力が得られる。
【０１０４】
一実施形態において、コンドームを固定部から外す方法が、特に、ペニスと相互作用している間に固定部を回転するという図３〜９を参考に記載した方法と、レバーなどの回転手段によって固定部を回転する方法とを組み合わせられ得るように、ホルダーは設計されている。これらの方法の組合せを使用することによって、固定部の回転を促進することができ、ペニスに与える影響を緩和することもできる。換言すれば、固定部がペニスに寄りかかっていることによって、回転手段による固定部の回転が促進される。
【０１０５】
固定部は、固定部に連結しているホルダーの一部（例えばバンド２）の周りを回転することができるだけでなく、この一部と一緒に回転することができる。固定部をペニスに寄りかからせることによって固定部の回転を提供するホルダーと同様に、回転手段によって固定部を回転させるという改変も可能である。例えば、図１４〜１６に表される実施形態では、ホルダー２２は２つのバンド２３および２４を備えており、バンド２３および２４は、開口部２６および２７が両端に設けられたコネクタ２５と連結されている（図１５）。ホルダー２２は、コネクタ２５の外側２９に配置されたハンドル２８を備えている。このハンドル２８は、コンドームを装着するときに、ホルダー２２を把持するために使用される。
【０１０６】
図１５に示すように、ホルダー２２は固定部３０を備えている。固定部３０はホルダー２２の内側３１に配置されており、ホルダー２２に堅固に連結されている。
【０１０７】
バンド２３および２４は、コネクタ２５に対してバンド２３および２４を回転させることを可能にするハンドル３２および３３と連結されている。ハンドル３２および３３は一方の末端に軸３４および３５を備えている。これらの軸３４および３５は、各ハンドルに対して横向きに設けられており、それぞれ開口部２６および２７内を回転するように適合されている。軸３４および３５の直径は、開口部２６および２７の直径と一致している。正方形の断面の保持部材３６および３７がそれぞれの軸の末端に設けられており、各バンド２３および２４はそれぞれ、末端に正方形の断面のスロット３８および３９を備えている。これらのスロット３８および３９は保持部材３６および３７を配置するために使用される。
【０１０８】
コンドームを装着するプロセスを図１６に示す。コンドーム１３を装着するときに、使用者は、手の指でハンドル２８を用いてホルダー２２を把持し、ホルダー２２ペニスの根元へ移動させる。次いで、使用者は、ハンドル３２および３３を操作して、ハンドル３２および３３を互いに向かって回転させる。これにより、バンド２３および２４が回転し、次いで固定部３０も回転する。固定部を特定の角度に回転させたときに、コンドーム１３の端部１２は、支障なく固定部のフックから離れることが可能である。コンドーム１３の端部１２を外した後に、図１６に示すようにホルダーを横方向に除去する。
【０１０９】
固定部は、連結部の周りを回転することができるだけでなく、この連結部と一緒に回転することができるし、またはこの連結部の一部の周りを回転することができる。図１７〜１８に表されるホルダー４０は弧形バンド４１および２つの半径方向に伸長したハンドル（radial handle）４３および４４を備えている。弧形バンド４１の中央部に弾性コネクタ４２が設けられている。弾性コネクタ４２の両側に、２つの半径方向のハンドル４３および４４が配置されている。さらに、コネクタ４２に負荷がかけられないとき、ホルダーによって規定される領域は縮小し、ハンドル４３および４４は離れる（図示しない。）。
【０１１０】
図１８に示すように、バンド４１の円形の断面のパーツ４５および４６は、固定部４７を配置するために使用される。固定部４７はフックとして形成されており、一方の末端にリング４８を備えている。リング４８の内径がパーツ４５および４６におけるバンドの直径と一致するように、リング４８はバンド４１のパーツ４５および４６に装着される。また、湾曲の角度がパーツ４５および４６におけるバンド４１の湾曲の角度と一致している弧形コネクタ４９および５０を介して複数の固定部４７は連結されている。プレートとして形成されたレバー５１および５２は、各コネクタ４９および５０の外側に取り付けられている。
【０１１１】
コンドームを装着するとき（図示しない。）、使用者は片手の指でハンドル４３および４４を用いてホルダー４０を把持し、図１７に示すようにハンドル４３および４４を一緒になるように合わせる。次いで、ホルダー４０をペニスの根元へ移動させる。その後に、コネクタ４９および５０に堅固に連結された固定部４７が、固定部のフックが屈曲している方向と反対方向に回転するように、レバー５１および５２を押す。固定部４７が特定の角度に回転したとき、コンドームの端部は支障なく固定部のフックから離れる。コンドームの端部を外した後に、ホルダーを横方向に除去する。
【０１１２】
固定部を上述の態様と異なる態様に改変することも可能である。例えば固定部は、輪なわ状であり、コンドームのリングの外側を保持するように適合されていてもよい。
【０１１３】
図１９〜２５において示すように、ホルダー５３は、２つの異形材５４および５５を備えている。異形材５４および５５は、外側へ僅かに屈曲しており、弾性コネクタ５６によって互いに連結されている。異形材５４および５５はＵ状の断面を有し、互いに内側を向かい合わせており、それらの自由端５７および５８は互いに向かって屈曲している。開口部５９および６０が、２つの固定部６１を配置するために使用される末端５９および６０に形成されている（図２０）。開口部５９および６０の軸は互いに平行であり、コンドームの平面と平行な平面に存在する。ハンドル６２は、ホルダー５３の外側でコネクタ５６に取り付けられている。コンドームの平面上にプレートとして形成されたプラットフォーム６３は、コネクタ５６の内側に取り付けられている。スプリング６６の巻き６５が配置されるロッド６４が、プラットフォーム６３上に形成されている。スプリングの自由端６７は、異形材５４および５５の内側に寄りかかっており、弾性力によってこれらの異形材を離す傾向がある。
【０１１４】
各固定部６１は、弧形部分６８ならびに２つの末端６９および７２を有するワイヤーとして形成されている（図２０）。プレート７０は互いに弾性コネクタ７１と連結されており、蝶番式に回転するように適合されている（？）。プレート７０は固定部６１の末端６９に形成されている。固定部６１の他方の末端７２は、開口部５９および６０中において蝶番で可動する。固定部６１は、図２１に示すようにコンドーム１３の巻いた状態の端部１２の外部を包囲する。
【０１１５】
可撓性バンド７３は、プレート７０を矢板７４に連結させている。矢板７４はプラットフォーム６３の側面に形成されており、プラットフォームに対して垂直に設置されている。図２０に、プレート７０、バンド７３および矢板７４の間の連結を拡大した断面図を示す。
【０１１６】
長方形の断面の開口部を有するスリーブ７５の一方の末端は、図２０の拡大図に示すように、コネクタ７１が配置される領域のプレート７０の端部７７に、可撓性コネクタ２２０によって取り付けられている。ホルダー５３が折りたたまれた状態では、スリーブ７５は、図２２に示すように、端部７７とロッド６４との間に配置され、スリーブ７５の軸は端部７７の平面と平行である。
【０１１７】
プラットフォーム７８は、片面に長方形の断面のピン７９を有するプレートである。ピン７９は、スリーブ７５の中に配置され、ピンの側面とスリーブ７５の内側との間に生じる摩擦力によってスリーブ７５内に保持される。ピン７９は、ピン７９の表面上のフックによって、または（例えば接着剤を用いて）接着させることによってスリーブ７５内に固定されてもよい（図示しない。）。プレート７０を包囲し、プレート７０を折りたたまれた状態に保持する保持用ラグ８０が、プラットフォーム７８のピン７９と同じ面に配置されている（図２２）。ラグ８１は、プラットフォーム７８の側面に配置されており、ピン７９へ向かってプラットフォーム７８の平面に対して移動する。平坦なプレートとして形成されたハンドル８３は、２つの可撓性コネクタ８２によってこれらのラグ８１に取り付けられている。ハンドル８３には、プラットフォーム７８が配置される切抜き部８４が設けられている。
【０１１８】
ハンドル８３が配置されたプラットフォーム７８は、固定部６１を回転させるために使用されるレバーを形成している。この構成によれば、レバーのピボットは、スリーブ７５とロッド６４との接点に位置している。この接点は、レバーが以下に記載するように操作されるときに現れる。
【０１１９】
さらに、ホルダー５３は、コンドームの閉鎖された末端から空気を除去する手段を備えている。この手段は、スロット１７５を有するプレート８５として形成されている。このプレート８５は、コネクタ８６を介してハンドル８３に取り付けられており、ボンド５４および５５によって規定される領域においてコンドームの平面に配置されている。コンドーム１３をホルダー５３に配置するとき、コンドームの閉鎖された末端１７６をスロット１７５内に配置する。これにより、この閉鎖された末端から空気を予め除去する。
【０１２０】
コンドームを装着するとき、使用者は片手の指でハンドル６２を用いてホルダー５３を把持し、図２４に示すようにホルダー５３をペニスの根元へ移動させる。この移動の開始時において、ペニスを、コンドーム１３の閉鎖された末端に近接するプレート８５に寄りかからせる（図示しない。）。これにより、空気がこの閉鎖された末端に流入することが防止される。ホルダーをさらに移動させることによって、プレート８５は屈曲しながら離れ、コンドームの閉鎖された末端はスロット１７５から離れる。プレート８５と一緒にハンドル８３も、屈曲しながら離れ始める。コンドームが装着されたとき、使用者は図２５の矢印で示すようにハンドル６２へ向かってハンドル８３を回すことによってレバーを操作する。これにより、プレート７０は保持用ラグ８０から離れ、スリーブ７５はロッド６４に向かって回転し、ロッド６４に寄りかかる。スリーブ７５とロッド６４との接点はレバーのピボットを形成する。レバーのピボットは、ホルダーの別の点（例えば、バンド５４と５５との接点（図示しない。））において形成されてもよい。
【０１２１】
ハンドル８３をさらに回すことによって、スリーブ７５の末端７６は上昇し始める。この末端７６はプレート７０の連結された端部を上昇させる（図２５）。プレート７０の開口端部は、バンド７３によって矢板７４に対して保持されているため、この末端は固定されたままである。その結果、プレート７０は互いに回転して離れ、基本的に一つの平面上に配置される。これによって、プレート７０に堅固に連結されている固定部６１も回転し、コンドーム１３の巻いた状態の端部１２は支障なく固定部から離れる。コンドームの端部が外れた後に、ホルダーは横方向へ除去される。
【０１２２】
上述した実施形態では、固定部の回転メカニズムは上述した態様と別の態様であってもよい。
【０１２３】
図２６〜３１に示すように、ホルダー１９０はホルダー５３と類似しており、外側へ僅かに屈曲した２つの異形材１９１および１９２を備えている。異形材１９１および１９２は可撓性コネクタ１９３によって互いに連結されている。異形材１９１および１９２はＵ状の断面を有し、互いに内側を向かい合わせており、それらの自由端１９４は固定部１９９を配置するために使用される開口部１９８を有するラグ１９６を備えている。ハンドル２００は、ホルダー１９０の外側でコネクタ１９３に取り付けられている。プラットフォーム２０１は、コネクタ１９３の内側に取り付けられている（図２８）。このプラットフォームは、コンドームの平面上においてプレートとして形成されている。スプリング２０４の巻き２０３が配置されるロッド２０２が、プラットフォーム２０１上に形成されている。スプリングの自由端２０５は、異形材１９１および１９２の内側に寄りかかっており、弾性力によってこれらの異形材を離す傾向がある。
【０１２４】
各固定部１９９は、弧形部分２０６ならびに２つの末端２０７および２０８を有するワイヤーとして形成されている。この弧形部分２０６は、固定部がホームポジションにあるときに（回転していないとき）、コンドームの平面に位置している。さらに、弧形部分２０９が固定部の末端２０７に配置されている。弧形部分２０９の弧の半径は弧形部分２０６の円弧の半径よりも小さい。コンドームのリング１２を配置するために使用される弧形部分２０９は、弧形部分２０６に対して垂直である（図２６参照）。このため、末端２０７は、弧形部分２０９を有する１つの平面上に位置している。固定部１９９の上述した設計では、固定部１９９の回転軸は、固定部１９９の末端２０７を結ぶライン上および固定部１９９の２０８を結ぶライン上に基本的に位置している。これらのラインは、固定部６１と類似する固定部が使用される実施形態（図２０参照）と比べた場合に、コンドームの平面よりも下に位置している。このような回転軸の構成によれば、バンド１９１および１９２が（図２７の矢印で示された方向に）離される場合に、コンドームの端部１２が伸長されるときに弾性力が生じるため、固定部１９９はコンドーム１３のリング１２によってホームポジション（回転していない状態）を保持する（図２７）。この弾性力は、矢印１９７で示す方向に加えられる。このため、異形材１９１および１９２を回転させるときに、固定部１９９を保持する必要は無い。
【０１２５】
長方形のプレートとして形成されたピン２１０は、プラットフォーム２０１上にプラットフォーム２０１に対して垂直に配置されている。２つのプレート２１１は、図２８および図３０に示すように、互いに所定の角度でピン２１０の自由端に取り付けられている。ピン２１０を有する１つの平面上に配置されたプレート２１２はプレート２１１に取り付けられている。プレート２１２は、プレートとして形成された台２１４を配置するために使用されるロッド２１３を備えている。台２１４は、ロッド２１３を配置するために使用される開口部２１８を備えている。プレート２１１の端部は、ピン２１０およびプレート２１２に対して回転することができるように可撓性である。さらに、ラグ２１６は、各プレート２１１の外側に形成されている。
【０１２６】
プレート２１７は、ラグ２１６に取り付けられる固定部１９９の末端に形成されている（図２８参照）。
【０１２７】
ホルダー１９０からコンドームを外すときに、使用者は固定部１９９を回転させる。これを実施するために、使用者は台２１４を図２９の矢印で示す方向へ押す。これにより、プレート２１１は、図３０の矢印で示す方向に回転する。プレート２１１の回転と同時に、プレート２１７が回転し、次いで固定部１９９が回転する。
【０１２８】
上述したように、ホルダーからコンドームを外すことは、回転するように適合された固定部を提供することによって実施され得る。しかし、ホルダーに堅固に取り付けられた固定部を使用してもよい。この場合に、この固定部は、移動するときにグリップからコンドームの端部を外すプッシュバーを備えている。
【０１２９】
例えば、図３２〜３４に表される実施形態では、ホルダー９０は２つの弧形バンド９１および９２を備えている。弧形バンド９１および９２は、それらの末端において可撓性コネクタ９４および９５によってロッド９３に取り付けられており、蝶番式に回転するように適合されている。ホルダー９０は２つのフック１７７およびフック９９を備えている。２つのフック１７７は、弧形バンド９１および９２の自由端に取り付けられている。フック９９はロッド９３の内側に取り付けられている。ハンドル９６はロッド９３の外側に取り付けられている。ハンドル９７および９８は、バンド９１および９２がロッド９３に取り付けられる部位において、バンド９１および９２に取り付けられている。ハンドル９７を有するバンド９１およびハンドル９８を有するバンド９２はレバーを形成しており、これらのレバーのピボットは、ロッド９３の対応する末端に配置されている。ホルダー９０は可撓性ストリップ１００を備えている。可撓性ストリップ１００の一方の末端は、フック９９の屈曲した末端に取り付けられている（図３２）。例えば可撓性ストリップ１００はフック９９の屈曲した末端に接着剤を用いて取り付けられていてもよい。コンドーム１３がホルダー９０内に配置されたときに、ストリップ１００は、コンドームの巻いた状態の端部１２よりも下で、フック９９の内側に配置される（図３３）。ストリップ１００の他方の末端１０２は外側に位置している（図３３）。
【０１３０】
コンドームを装着するときに、使用者はハンドル９７および９８によってホルダーを把持し、これらのハンドル９７および９８を互いへ向かって移動させる。これにより、ホルダーによって規定される領域は拡張し、コンドーム１３の巻いた状態の端部１２は伸長される。次いで、使用者はペニスの根元へのホルダー９０の移動を開始する（図３３）。コンドームが装着された後に、使用者はストリップ１００の自由端１０２を図３３の矢印で示された方向に引く。これにより、ストリップ１００はフック９９から離れ、コンドームの端部１２をフック９９の外に押し出す。コンドームの端部がフック９９から外れた後では、コンドームの端部１２をフック１７７から外すことは実質的に緩和されている。図３４において、コンドーム１３がホルダー９０から完全に外されたときの構成を示す。コンドームの端部を外した後に、ホルダーを横方向へ除去する。
【０１３１】
各フックが同様のストリップを備えているという改変も可能である。さらに、ホルダーは、上述した全てのストリップを同時に操作することが可能なデバイスを備えていてもよい。
【０１３２】
図３５に示すように、ホルダー１０３は２つの弧形バンド１０４および１０５を備えている。弧形バンド１０４および１０５は、ホルダー１０３の内側に突き出すフック１０６を備えており、ロッド１０７に取り付けられている。ハンドル１０８は、ロッド１０７の外側に取り付けられている。弧形バンド１０９および１１０は、可撓性コネクタ１１１および１１２を介してロッド１０７の末端に取り付けられており、蝶番式に回転するために適合されている（？）。バンド１０９および１１０は、バンド１０４および１０５の形状と一致しており、それらと同じ平面に位置している。この実施形態では、バンド１０４および１０５によって規定される領域がコンドームを装着するために十分であることを前提としている。
【０１３３】
ハンドル１１３および１１４は、バンド１０９および１１０がロッド１０７に取り付けられている部位において、バンド１０９および１１０に取り付けられている。これにより、ハンドル１１３を有するバンド１０９およびハンドル１１４を有するバンド１１０はレバーを形成しており、これらのレバーのピボットはロッド１０７の対応する末端に配置されている。ホルダー１０３は４つのストリップ１１５を備えている。なお、ストリップの数はフック１０６の数によって規定される。図３２〜３４を参照に記載された実施形態と同様に、各バンド１１５の一方の末端１１６はフック１０６に取り付けられており、ストリップ１１５はフック１０６の内側に配置されている。図３２〜３４に記載の実施形態との差異は、各ストリップ１１５の他方の末端１１７が対応するバンド１０９および１１０に（例えば接着剤を用いて）取り付けられていることである。
【０１３４】
コンド−ムを装着するときに、使用者はハンドル１０８によってホルダー１０３を把持し、ホルダーをペニスの根元へ移動させる。コンドームを装着した後に、使用者はホルダーを把持する手と同じ手の指でハンドル１１３および１１４を操作して、互いに向かって移動させる。これにより、バンド１０９および１１０は互いに離されるため、ストリップ１１５が引っ張られる。その後、ストリップ１１５がフック１０６を離れるとともに、コンドームの端部を押し出すことによって、全てのフックからコンドームの端部が外れる（図３７）。コンドームの端部が外れた後に、ホルダーは、バンド１０４および１０５が可撓性である場合に横方向に除去されるか、またはバンド１０４および１０５が剛体である場合に縦方向に除去される。
【０１３５】
図３８〜図３９に示すように、ストリップ１１５にさらなる剛性を与え、コンドームの巻いた状態の端部１２のフック１０６からの除去を容易にするセミリング１１８を、ストリップ１１５はさらに備えていてもよい。セミリング１１８は、フック１０６に配置されており、フック１０６の形状と一致している。コンドーム１３の巻いた状態の端部１２はセミリング１１８に配置されており、ストリップ１１５はセミリング１１８とフック１０６との間を通過している。コンドームの端部１２の除去は、図３６〜図３７を参照に記載された除去と同様である。
【０１３６】
図４０〜４２に示されたさらに別の実施形態では、ストリップ１１５はフック１０６に取り付けられているが、このフック１０６を包囲している（図４０および図４１）。これによれば、上述の実施形態と同様に、ストリップの一部はフック１０６とコンドーム１３の巻いた状態の端部１２との間でフック１０６の内側に配置されている。各ストリップ１１５の両方の末端１１６および１１７はバンド１０９および１１０に取り付けられている（図４０）。図４１〜図４２に示すコンドームを装着するプロセスは、図３６および図３７に示されたプロセスと同様である。
【０１３７】
図４３〜図４５に示すホルダー１１９は図３５に示したホルダー１０３と類似している。差異は、図４３に示すように、各固定部が２つのフック１２０および１２１によって形成されており、フック１２０および１２１は、内側のバンド１２２および１２３の両方の側面に取り付けられており、互いに内側を向かい合わせていることである。ストリップ１２５の一方の末端１２４はフック１２０に取り付けられている。ストリップ１２５は、フック１２０および１２１によって規定される領域に配置されており、フック１２１の外側を包囲している。ストリップ１２５の末端１２６は、対応する外側のバンド１２７および１２８に取り付けられている。図４４〜４５に示したホルダー１１９を用いてコンドームを装着するプロセスは、図３６〜３７に示したホルダー１０３を用いてコンドームを装着するプロセスと同様である。
【０１３８】
固定部が、図２０に示した固定部６１と同様に、コンドームの巻いた状態の端部の外側を保持する輪なわ状のワイヤーとして形成されているという改変において、ストリップを使用してもよい。
【０１３９】
図４６〜４８に示す実施形態では、ホルダー（図示しない。）は２つの固定部１２９を備えており、ストリップ１３０は固定部１２９のそれぞれに１つづつ取り付けられている。この場合に、ストリップ１３０の末端１３１は、固定部１２９に取り付けられており、ストリップ１３０の末端１３２は自由である。コンドーム１３をホルダーに配置したとき（図４７）、各ストリップはコンドーム１３の端部１２の外側を包囲する。ストリップ１３０の末端１３２が図４７の矢印１８１で示す方向に移動させられるとき、ストリップ１３０はコンドーム１３の巻いた状態の端部１２を移転させ、矢印１８２で示される方向に移動させる。図４８に、コンドーム１３がホルダーから完全に外されたときの構成を示す。
【０１４０】
ホルダーは図４９に示す開口リングとして形成された固定部１３３を１つ備えていてもよい。屈曲したＬ状のロッド１３４が固定部１３３に取り付けられており、図示しないホルダーに対して固定部１３３を固定するために使用される。ロッド１３４は固定部１３３の末端１３５と反対の位置に配置されている。ストリップ１３６の一方の末端は、ロッド１３４の基部において固定部１３３に取り付けられており、ロッド１３４の内側に配置されている。ストリップの末端１３８は自由である。コンドームを図示しないホルダーから外すことは、ストリップ１３６の自由端１３８を矢印で示す方向に移動させることによって実施される。
【０１４１】
図５０〜５２に表された実施形態では、各固定部１３９はストリップ１４０を備えている。ストリップ１４０は固定部１３９を包囲しており、ストリップ１４０の末端１４１および１４２は同時に操作されるように適合されている。図５０〜５２に示したコンドームの端部を図示しないホルダーから外すプロセスは、図４７および図４８に示したプロセスと同様である。
【０１４２】
図５３〜５６に示されるさらに別の実施形態では、各ストリップ１４４の一方の末端１４３は、ホルダー１４５のバンド１４８に直接的に（例えば接着剤を用いて）取り付けられている。ストリップ１４４は固定部１４６を包囲しており、ストリップ１４４の末端１４７は自由である。コンドーム１３がホルダー１４５に配置されたときに、図５５に示すように、ストリップ１４４はコンドームの外側を包囲する。コンドームの端部１２をホルダー１４５から外すことは、図５３および図５５の矢印で示される方向にストリップ１４４の末端１４７を操作することによって実施される。図５６および図５４において、コンドーム１３がホルダーから完全に外されたときの構成を示す。
【０１４３】
図５７〜６２に表される実施形態のホルダー１４８は、図３２に表されるホルダー９０と類似している。ホルダー１４８は２つの弧形バンド１４９および１５０を備えている。バンド１４９および１５０は、可撓性コネクタ１５３および１５４によってロッド１５２の両側に取り付けられている。ハンドル１５５は、ロッド１５２の外側に取り付けられている。ハンドル１５６および１５７は、バンド１４９および１５０がロッド１５２に取り付けられる部位において、バンド１４９および１５０に取り付けられている。ハンドル１５６を有するバンド１４９およびハンドル１５７を有するバンド１５０はレバーを形成しており、これらのレバーのピボットはそれぞれコネクタ１５３および１５４に配置されている。
【０１４４】
ホルダー１４８はフックとして形成された３つの固定部を備えている。これらの固定部の２つは、それらの自由端においてバンド１４９および１５０に取り付けられている。１つの固定部１５１は、ロッド１５２の内側でホルダーに取り付けられている。差異は、プレートとして形成されたプッシュバーがストリップの代わりに使用されていること、およびこのプッシュバーはホルダー１４８に配置されており、移動するように適合されていることである。プッシュバー１５８はフック１５１の内側に配置される屈曲した末端１５９を備えている（図５８）。台１６１は、プッシュバー１５８の他方の末端１６０に形成されている。この台１６１は、指によって操作されるために便利な形状およびサイズを有するボタンまたはキーである。ピン１６２がこのボタンまたはキーの下に配置されている。ピン１６２は、ハンドル１５５およびフック１５１を部分的に通過する、閉鎖されたスロット１６３内を移動するように適合されている。さらに、プッシュバー１５８は、末端１６０に配置されるラグ１６４を備えている。このラグ１６４は、スロット１６３の反対の壁に形成されたスロット１６５内を移動するように適合されている。スロット１６５は、プッシュバー１５８がスロット１６３から離れることを防止する。
【０１４５】
図５９および図６１にコンドーム１３を有するホルダーを示す。この図に示されるように、プッシュバー１５８の屈曲した末端１５９は、コンドーム１３の巻いた状態の端部１２よりも下に位置している。
【０１４６】
図６１〜図６２に示すように、ホルダー１４８を用いてコンドームを装着するプロセスは、ホルダー９０を用いた場合のプロセス（図３２）と同様である。差異は、コンドームが装着された後に、使用者が台１６１を操作して、プッシュバー１５８を矢印１８１で示される方向に移動させることである（図６１）。プッシュバー１５８の末端１５９を移動させることによって、端部１２はフック１５１から矢印１８２で示される方向に移動させる。プッシュバー１５８が完全に押し出された瞬間に、コンドームの端部１２はフック１５１から完全に外れる（図６２）。これにより、コンドームの端部１２を固定部１７８から外すことが実質的に緩和される。
【０１４７】
図６３〜図６６に示す実施形態のホルダー１６６はホルダー１４８と類似している。差異は、フック１６８の全体およびハンドル１６９の一部を通過する貫通スロット１６７を、ホルダー１６６が備えていることである。プッシュバー１７０は、屈曲した末端１７１を備えている。屈曲した末端１７１の外表面は、プッシュバー１７０がスロット１６７に据え付けられた場合に、フック１６８の外表面と同じレベルに位置している。スロット１６７の反対の面はスロット１７２を備えており、プッシュバー１７０はラグ１７３を備えている。ラグ１７３はスロット１７２に配置されており、移動するように適合されている。スロット１７３はプッシュバー１７０がスロット１６７を離れることを防止し、プッシュバー１７０が前方へ移動することを制限する。
【０１４８】
ホルダー１６６を用いてコンドームを装着するプロセス（図６３）は、ホルダー１４８を用いた場合のプロセス（図５７〜６２）と同様である。
【０１４９】
本発明は、添付の特許請求の範囲内において、上述した各実施形態以外の多くの実施形態にて実施することができる。
【図１】
2010525865.tif 000003
【図２】
2010525865.tif 000004
【図３】
2010525865.tif 000005
【図４】
2010525865.tif 000006
【図５】
2010525865.tif 000007
【図６】
2010525865.tif 000008
【図７】
2010525865.tif 000009
【図８】
2010525865.tif 000010
【図９】
2010525865.tif 000011
【図１０】
2010525865.tif 000012
【図１１】
2010525865.tif 000013
【図１２】
2010525865.tif 000014
【図１３】
2010525865.tif 000015
【図１４】
2010525865.tif 000016
【図１５】
2010525865.tif 000017
【図１６】
2010525865.tif 000018
【図１７】
2010525865.tif 000019
【図１８】
2010525865.tif 000020
【図１９】
2010525865.tif 000021
【図２０】
2010525865.tif 000022
【図２１】
2010525865.tif 000023
【図２２】
2010525865.tif 000024
【図２３】
2010525865.tif 000025
【図２４】
2010525865.tif 000026
【図２５】
2010525865.tif 000027
【図２６】
2010525865.tif 000028
【図２７】
2010525865.tif 000029
【図２８】
2010525865.tif 000030
【図２９】
2010525865.tif 000031
【図３０】
2010525865.tif 000032
【図３１】
2010525865.tif 000033
【図３２】
2010525865.tif 000034
【図３３】
2010525865.tif 000035
【図３４】
2010525865.tif 000036
【図３５】
2010525865.tif 000037
【図３６】
2010525865.tif 000038
【図３７】
2010525865.tif 000039
【図３８】
2010525865.tif 000040
【図３９】
2010525865.tif 000041
【図４０】
2010525865.tif 000042
【図４１】
2010525865.tif 000043
【図４２】
2010525865.tif 000044
【図４３】
2010525865.tif 000045
【図４４】
2010525865.tif 000046
【図４５】
2010525865.tif 000047
【図４６】
2010525865.tif 000048
【図４７】
2010525865.tif 000049
【図４８】
2010525865.tif 000050
【図４９】
2010525865.tif 000051
【図５０】
2010525865.tif 000052
【図５１】
2010525865.tif 000053
【図５２】
2010525865.tif 000054
【図５３】
2010525865.tif 000055
【図５４】
2010525865.tif 000056
【図５５】
2010525865.tif 000057
【図５６】
2010525865.tif 000058
【図５７】
2010525865.tif 000059
【図５８】
2010525865.tif 000060
【図５９】
2010525865.tif 000061
【図６０】
2010525865.tif 000062
【図６１】
2010525865.tif 000063
【図６２】
2010525865.tif 000064
【図６３】
2010525865.tif 000065
【図６４】
2010525865.tif 000066
【図６５】
2010525865.tif 000067
【図６６】
2010525865.tif 000068
【国際調査報告】
2010525865.tif 000069
2010525865.tif 000070
2010525865.tif 000071
2010525865.tif 000072